(57)【要約】【課題】金属製外装部品の内部に連結された樹脂成型製鏡筒部品にてレンズ群を保持しているレンズ装置において、外気温を低温から高温に急激に変化させた時に発生するレンズの曇りが除去されるまでの時間が長時間化するという課題があった。本発明の目的は、成型樹脂製鏡筒を使用してコストアップも抑制しながら、レンズ群の曇り除去までの時間を短縮することを可能にしたレンズ装置を提供することである。【解決手段】金属製外装部品とレンズとに各々接触して取り付く金属製内装部品を設け、内部のレンズへの外気の熱伝達の効率を向上することを特徴とする構成とした。【選択図】  図１
2014235201.tif 000002
【特許請求の範囲】
【請求項１】
金属製外装部品と、レンズと、該レンズを保持する樹脂成型製保持部材と、金属製内装部品とを有したレンズ装置において、該金属製内装部品は、該金属製外装部品と該レンズとの間に介在し、該金属製外装部品と、該レンズに各々接触して取り付けられることを特徴とするレンズ装置。
【請求項２】
前記金属製内装部品は、外周部にネジを備えた押え環形状で、内周部にネジを備えた前記金属製外装部品にねじ込み固定されることを特徴とする請求項１に記載のレンズ装置。
【請求項３】
前記金属製内装部品は、板金形状で、前記金属製外装部品に固定されることを特徴とする請求項１に記載のレンズ装置。
【請求項４】
前記金属製内装部品は、円環形状で、弾性部材にて光軸方向に付勢されて配されることを特徴とする請求項１に記載のレンズ装置。
【発明の詳細な説明】
【技術分野】
【０００１】
本発明は、成型樹脂製鏡筒部品にてレンズ群を保持するレンズ装置に関するものである。
【背景技術】
【０００２】
従来、外装に金属製の部品を用い、その外装部品に連結され、内部にレンズ群を保持する成型樹脂製の鏡筒部品が構成されたレンズ装置が提供されてきた。そのレンズ装置において、外気温を急激に低温状態から高温状態に変化させた時、レンズ装置の外部と内部とに温度差が生じ、内部のレンズ群が曇るという現象が発生する。
【０００３】
特に前述の通り内部鏡筒部品がコストダウン等の目的で成型樹脂製の場合、材料の熱伝導率が低いため、外部の熱が内部のレンズ群に伝達されてレンズ群の曇りが除去されるまで長時間を要し、その間撮影が不能となるという問題があった。またそれを防止するために、レンズ群への熱伝導性を高める目的でレンズ群の体積を小さくしたり、金属製鏡筒を使用したりする方策が取られてきた。
【０００４】
特許文献１ではレンズを加熱する加熱手段と、その加熱手段に電力を供給する給電手段を有することでレンズ群の曇りを防止する発明が開示されている。
【先行技術文献】
【特許文献】
【０００５】
【特許文献１】特開平３−３３８１５号公報
【発明の概要】
【発明が解決しようとする課題】
【０００６】
しかしながら、上述の特許文献１に開示された従来技術では、装置が大型化したり、製造コストが大幅に上がってしまうという課題がある。
【０００７】
そこで、本発明の目的は、装置を大型化させず、成型樹脂製鏡筒を使用してコストアップも抑制しながら、レンズ群の曇り除去までの時間を短縮することを可能にしたレンズ装置を提供することである。
【課題を解決するための手段】
【０００８】
上記目的を達成するために、本発明は、金属製外装部品と、レンズと、該レンズを保持する樹脂成型製保持部材と、金属製内装部品とを有したレンズ装置において、該金属製内装部品は、該金属製外装部品と該レンズとの間に介在し、該金属製外装部品と、該レンズに各々接触して取り付けられることを特徴とする。
【発明の効果】
【０００９】
本発明によれば樹脂製鏡筒を使用しつつ、レンズ群の曇り除去までの時間を短縮するレンズ装置を提供することができる。
【図面の簡単な説明】
【００１０】
【図１】本発明の第一実施例の要部詳細図
【図２】第一実施例の一部を変形させた例
【図３】本発明の第二実施例の要部詳細図
【図４】本発明の第三実施例の要部詳細図
【発明を実施するための形態】
【００１１】
以下に、本発明の好ましい実施の形態を、添付の図面に基づいて詳細に説明する。
【００１２】
［実施例１］
図１は本発明の第１の実施例の要部詳細図である。金属製の外装部品１には成型樹脂製の鏡筒部品２が任意の方法で連結されている。本実施例では一例としてビス３によるビス連結とした。レンズ群４は鏡筒部品２に保持されており、前後のレンズ群（不図示）と組み合わされて被写体（不図示）を結像している。ここで金属製の円環部品５はレンズ群４と外装部品１との両者に接触を保った状態で取付いている。取付け方法は、本実施例では外装部品１の内径部と円環部品５の外径部に各々ネジ部１ａ、５ａを設けてねじ込み固定されていることとした。
【００１３】
この構造を採用することで、通常標準的に用いられているレンズ群保持用の押え環と同一の作業性で組立てを行うことが可能となり、本発明によって組立性が低下することを防止する。この状態でレンズ装置６を低温環境下から高温環境下へ急激に変化させた時、円環部品５により外気の熱は矢印７の経路にてレンズ４ａに伝わる。この際、熱は外装部品１、円環部品５という金属製の二部品を経由するため伝達速度が速く、レンズ４ａに外気の熱が伝わる時間が短縮でき、温度環境変化直後に発生したレンズ４ａ表面の曇りを短時間で除去することが可能となる。
【００１４】
円環部品５と外装部品１との接触、及び円環部品５とレンズ４ａとの接触は接触面積が大きければ大きいほど伝熱効果は大きく、より短時間で曇りを除去することが可能となる。また図２に示す通り、外装部品８に貫通穴８ａを設けて外気温をより直接的にレンズ４ａに伝達させることでの熱伝達を速め、より短時間で曇りを除去することが可能となる。その際、貫通穴８ａをふさぐためのフタ部品９を設け、通常使用時には外気との連結は遮断されている。
【００１５】
本実施例では円環部品５とレンズ４ａとの接触はレンズ研磨面で行っているが、レンズ側の接触部が外径又は面取り部に施されている塗装面であっても同様の効果が得られる。
【００１６】
［実施例２］
図３は本発明の第２の実施例の要部詳細図である。外装部品１０とレンズ４ａとを接触連結する板状の金属部品１１が外装部品１０に取り付いている。この構造を採用することで、金属部品１１をプレス型によって部品製作することでコスト上昇を抑制することが可能となる。外気温は板部材１１を介してレンズ４ａに伝達され、実施例１同様レンズ４ａに発生した曇りを除去する時間を短縮することが可能となる。
【００１７】
板状部品１１は短冊状のものを複数円周方向に配してもよいし、一枚の円環形状のものに適宜切れ込みを設けた形状でもよい。また、板状部品１１の先端部を丸み形状や曲げ形状にすることで、レンズ４ａへの接触によるキズを発生しにくくすることが可能となりなお好ましい。本実施例では先端に丸み形状１１ａを設けることとした。
【００１８】
［実施例３］
図４は本発明の第３の実施例の要部詳細図である。外装部品１２とレンズ４ａとを接触連結する金属製の円環部品１３が設けられている。円環部品１３は弾性部材１４及び付勢用部材１５にて光軸方向に付勢されることで外装部品１２とレンズ４ａとの接触連結を保っている。この構造を採用することで、奥まった位置に配置されているレンズへの接触をより手前側の部材の操作によって達成できるため、組立作業性が向上する。外気温は円環部品１３を介してレンズ４ａに伝達され、実施例１同様レンズ４ａに発生した曇りを除去する時間を短縮することが可能となる。
【００１９】
以上、本発明の好ましい実施形態について説明したが、本発明はこれらの実施形態に限定されず、その要旨の範囲内で種々の変形及び変更が可能である。
【符号の説明】
【００２０】
１  外装部品
１ａ  ネジ部
２  鏡筒
４  レンズ群
４ａ  レンズ
５  円環部品
５ａ  ネジ部
６  レンズ装置
８  外装部品
８ａ  貫通穴
９  フタ
１０  外装部品
１１  板状部材
１２  外装部品
１３  円環部品
１４  弾性部材
１５  付勢部材
【図１】
2014235201.tif 000003
【図２】
2014235201.tif 000004
【図３】
2014235201.tif 000005
【図４】
2014235201.tif 000006